(57)【要約】【課題】フィルムの画像を読み取る指示操作がなされてから、読み取りが開始されるまでの時間を短縮すること。【解決手段】スキャナ装置は、透過用光源ユニットから撮像素子側へ照射された光を遮光する黒基準読取エリア４０５を備え、撮像素子による撮像範囲内に設けられたフィルム読取エリア４０１にフィルムを位置決めするフィルムフォルダ２４０を備える。これにより、スキャナ装置は、黒基準読取エリア４０５に対向する位置における撮像素子の受光量を、フィルム読取エリア４０１に近い位置でおこなうことができる。【選択図】図４
2008172661.tif 000002
【特許請求の範囲】
【請求項１】
光源から照射された光を前記光源に対して対向配置された撮像素子によって受光するこ
とで光透過型の原稿を読み取る画像読取装置に設けられる原稿フォルダであって、
前記撮像素子による撮像範囲内に設けられた読取位置に、前記原稿を位置決めする位置
決め部と、
前記撮像範囲内の前記読取位置とは異なる位置において、前記光源から前記撮像素子側
へ照射された光を遮光する黒基準部と、
を備えることを特徴とする原稿フォルダ。
【請求項２】
光源から照射された光を前記光源に対して対向配置された撮像素子によって受光するこ
とで光透過型の原稿を読み取る画像読取装置において、
前記撮像素子による撮像範囲内に設けられた読取位置に前記原稿を位置決めする位置決
め部材と、
前記位置決め部材に設けられた、前記撮像範囲内の前記読取位置とは異なる位置におい
て前記光源から前記撮像素子側へ照射された光を遮光する黒基準部材と、
を備えることを特徴とする画像読取装置。
【請求項３】
前記撮像素子は、前記撮像範囲内において、前記位置決め部材によって位置決めされた
原稿に沿って移動可能であり、
前記黒基準部材は、前記撮像素子の移動方向に沿って、前記読取位置の近傍に設けられ
ていることを特徴とする請求項２に記載の画像読取装置。
【請求項４】
前記黒基準部材は、前記読取位置よりも前記撮像素子による原稿の読み取り開始位置側
に設けられていることを特徴とする請求項３に記載の画像読取装置。
【請求項５】
前記光源から照射された光を前記撮像素子側へ透過可能とする読取開口部を形成する枠
部材と、
前記位置決め部材の前記黒基準部材よりも外方から前記枠部材の上方へ突出する突起部
材と、
を備えることを特徴とする請求項３または４に記載の画像読取装置。
【請求項６】
前記黒基準部材と前記読取位置との間に設けられた、前記撮像素子における受光量の補
正に用いる白基準部材を備えることを特徴とする請求項３〜５のいずれか一つに記載の画
像読取装置。
【請求項７】
前記白基準部材は、前記位置決め部材の前記黒基準部材と前記読取位置との間に設けら
れた、前記光源から照射された光を前記撮像素子へ透過させる開口部であることを特徴と
する請求項６に記載の画像読取装置。
【請求項８】
原稿の読み取り指示があった場合、前記黒基準部材に対向する位置における前記撮像素
子の受光量を検出する黒基準データ検出手段と、
前記読み取り指示に応じて前記光源を点灯させ、当該光源から照射される光量に応じて
前記白基準部材に対向する位置における前記撮像素子の受光量を検出する白基準データ検
出手段と、
前記読取位置における前記撮像素子の受光量に基づいて生成される画像データを、前記
黒基準データ検出手段および前記白基準データ検出手段によって検出された受光量に応じ
て補正する補正手段と、
を備えることを特徴とする請求項６または７に記載の画像読取装置。
【発明の詳細な説明】
【技術分野】
【０００１】
この発明は、原稿フォルダおよび画像読取装置に関する。
【背景技術】
【０００２】
従来、原稿を間にして撮像素子とは反対側に配置された光源から照射され、フィルムな
どの光透過型の原稿（以下、「透過型原稿」という）を透過してから撮像素子に結像され
る光の強弱を検出することによって、透過型原稿の画像を光学的に読み取る読取機構を備
えた画像読取装置がある。
【０００３】
透過型原稿の画像を読み取る読取機構（以下、「透過用読取機構」という）においては
、読み取り対象とする原稿全体を読み取るために、撮像素子が、当該原稿に沿って移動可
能に設けられているものがある。また、透過用読取機構における光源は、撮像素子の移動
範囲をカバーする範囲を照射可能に設けられている。
【０００４】
このような画像読取装置では、利用者によって、読み取り動作を開始する指示操作がお
こなわれた場合に、透過型原稿の読み取り動作に先立ってシェーディング補正処理をおこ
なう。このシェーディング補正処理によって、照射位置ごとの照射光量のムラに起因する
画像データの明暗のムラが補正される。
【０００５】
シェーディング補正処理では、黒色の基準となる黒基準データや白色の基準となる白基
準データなどの補正用データを取得し、取得された補正用データに基づいて、撮像素子に
よる読み取り範囲内の画像データの明暗を一様化する処理をおこなう。
【０００６】
従来の画像読取装置において、補正用データは、補正用データを取得するために設けら
れた専用スペースまで撮像素子を移動させて読み取り動作をおこなったり、光源を点灯／
消灯させながら読み取り動作をおこなったりすることによって取得される。この専用スペ
ースは、画像読取装置の本体ハウジングの一部など、透過型原稿の読み取り範囲外に設け
られている。
【０００７】
また、ランプとこのランプの光量を測る光電センサとを備えた透過ユニットを本体の原
稿台上に取付けると、自動的に光電センサが光量補正回路に接続され、透過型原稿の読み
取り時は、各ラインの走査ごとに、光電センサの出力信号が光量補正回路に入力されて、
光量低下を補償するように読取信号に対するアンプのゲインが調節されるようにした画像
読取装置が開示されている（たとえば、下記特許文献１参照。）。
【０００８】
【特許文献１】特開平１０−５１５９６号公報
【発明の開示】
【発明が解決しようとする課題】
【０００９】
しかしながら、上述した従来の技術において、補正用データを取得するために撮像素子
を移動させる場合、補正用データを取得するための動作時間に加えて、撮像素子を原稿の
読み取り範囲外まで移動させるため移動時間が必要となる。
【００１０】
また、上述した従来の技術において、光源を点灯／消灯させながら読み取り動作をおこ
なうことによって補正用データを取得する場合、補正用データを取得するための動作時間
に加えて、一度消灯させてから再度点灯された光源からの照射光量が安定するまでの待機
時間が必要となる。
【００１１】
このように、上述した従来の技術では、読み取り動作を開始する指示操作がなされてか
ら、読み取りが開始されるまでに時間がかかるという問題があった。
【課題を解決するための手段】
【００１２】
この発明にかかる原稿フォルダは、光源から照射された光を前記光源に対して対向配置
された撮像素子によって受光することで光透過型の原稿を読み取る画像読取装置に設けら
れる原稿フォルダであって、前記撮像素子による撮像範囲内に設けられた読取位置に、前
記原稿を位置決めする位置決め部と、前記撮像範囲内の前記読取位置とは異なる位置にお
いて、前記光源から前記撮像素子側へ照射された光を遮光する黒基準部と、を備えること
を特徴とする。
【００１３】
したがって、原稿フォルダを利用して光透過型の原稿を読み取る画像読取装置であれば
、原稿フォルダの一部を構成する黒基準部における撮像素子の受光量を検出することで、
黒基準部における撮像素子の受光量の検出を、原稿の読取位置に近い位置でおこなうこと
ができる。
【００１４】
これによって、画像読取装置においては、読み取り動作を開始する指示操作がなされて
から、読み取りが開始されるまでの時間を短縮することができる。また、これによって、
利用者は、原稿の画像を高精度に再現した画像データを迅速に得ることができる。
【００１５】
また、この発明にかかる画像読取装置は、光源から照射された光を前記光源に対して対
向配置された撮像素子によって受光することで光透過型の原稿を読み取る画像読取装置に
おいて、前記撮像素子による撮像範囲内に設けられた読取位置に前記原稿を位置決めする
位置決め部材と、前記位置決め部材に設けられた、前記撮像範囲内の前記読取位置とは異
なる位置において前記光源から前記撮像素子側へ照射された光を遮光する黒基準部材と、
を備えることを特徴とする。
【００１６】
したがって、画像読取装置においては、位置決め部材に設けられた黒基準部材に対向す
る位置における撮像素子の受光量を検出することで、黒基準部材に対向する位置における
撮像素子の受光量を、原稿の読取位置に近い位置でおこなうことができる。
【００１７】
これによって、画像読取装置は、読み取り動作を開始する指示操作がなされてから、読
み取りが開始されるまでの時間を短縮することができる。また、これによって、利用者は
、原稿の画像を高精度に再現した画像データを迅速に得ることができる。
【００１８】
また、この発明にかかる画像読取装置における前記撮像素子は、前記撮像範囲内におい
て、前記位置決め部材によって位置決めされた原稿に沿って移動可能であり、前記黒基準
部材は、前記撮像素子の移動方向に沿って、前記読取位置の近傍に設けられていることを
特徴とする。
【００１９】
したがって、画像読取装置においては、黒基準部材に対向する位置における撮像素子の
受光量の検出を、原稿の読取位置に一層近い位置でおこなうことができる。これによって
、画像読取装置は、読み取り動作を開始する指示操作がなされてから、読み取りが開始さ
れるまでの時間を一層短縮することができる。また、これによって、利用者は、原稿の画
像を高精度に再現した画像データを一層迅速に得ることができる。
【００２０】
また、この発明にかかる画像読取装置における前記黒基準部材は、前記読取位置よりも
前記撮像素子による原稿の読み取り開始位置側に設けられていることを特徴とする。
【００２１】
したがって、画像読取装置においては、黒基準部材に対向する位置における撮像素子の
受光量を検出してから、すぐに原稿の読み取りを開始することができる。これによって、
画像読取装置は、撮像素子の移動量を最小限に抑えることで、読み取り動作を開始する指
示操作がなされてから、読み取りが開始されるまでの時間を一層短縮することができる。
また、これによって、利用者は、原稿の画像を高精度に再現した画像データを一層迅速に
得ることができる。
【００２２】
また、この発明にかかる画像読取装置は、前記光源から照射された光を前記撮像素子側
へ透過可能とする読取開口部を形成する枠部材と、前記位置決め部材の前記黒基準部材よ
りも外方から前記枠部材の上方へ突出する突起部材と、を備えることを特徴とする。
【００２３】
したがって、画像読取装置においては、枠部材と黒基準部材との間の隙間を突起部材に
よって遮光することで、枠部材と黒基準部材との隙間から読取開口部を透過した光を撮像
素子に入り込ませることなく、読取開口部の周縁部に近い位置で、黒基準部材に対向する
位置における撮像素子の受光量を検出することができる。
【００２４】
これによって、画像読取装置は、撮像素子の移動方向における寸法を小さくするととも
に、撮像素子の移動量を最小限に抑えることで、読み取り動作を開始する指示操作がなさ
れてから、読み取りが開始されるまでの時間を短縮することができる。また、これによっ
て、利用者は、小型化された画像読取装置を用いて、原稿の画像を高精度に再現した画像
データを迅速に得ることができる。
【００２５】
また、この発明にかかる画像読取装置は、前記黒基準部材と前記読取位置との間に設け
られた、前記撮像素子における受光量の補正に用いる白基準部材を備えることを特徴とす
る。
【００２６】
したがって、撮像素子の移動方向に沿って、黒基準部材、白基準部材、読取位置に対向
する位置における撮像素子の受光量を順次検出することができる。これによって、画像読
取装置は、撮像素子の移動量を最小限に抑えることで、読み取り動作を開始する指示操作
がなされてから、読み取りが開始されるまでの時間を短縮することができる。また、これ
によって、利用者は、原稿の画像を高精度に再現した画像データを迅速に得ることができ
る。
【００２７】
白基準部材に対向する位置における撮像素子の受光量の検出は、光源からの光量が安定
している状態でおこなう必要があるが、光源として蛍光管を用いた場合には光量が安定す
るまでに数十秒程度の待機時間を要する。
【００２８】
これに対し、この発明にかかる画像読取装置は、原稿の読み取り指示があった場合には
、当該読み取り指示に応じて光源を点灯させておくことができるので、白基準部材に対向
する位置における撮像素子の受光量を検出するまでの時間を短縮することで、読み取り動
作を開始する指示操作がなされてから、読み取りが開始されるまでの時間を短縮すること
ができる。これによって、利用者は、原稿の画像を高精度に再現した画像データを迅速に
得ることができる。
【００２９】
また、この発明にかかる画像読取装置における前記白基準部材は、前記位置決め部材の
前記黒基準部材と前記読取位置との間に設けられた、前記光源から照射された光を前記撮
像素子へ透過させる開口部であることを特徴とする。
【００３０】
したがって、画像読取装置は、光源から撮像素子への光路上に白基準部材を別途設ける
ことなく、光源からの光を撮像素子によって直接受光することで、白基準部材に対向する
位置における撮像素子の受光量を検出することができる。
【００３１】
これによって、画像読取装置は、装置の小型化を図るとともに、読み取り動作を開始す
る指示操作がなされてから、読み取りが開始されるまでの時間を短縮することができる。
また、これによって、利用者は、小型化された画像読取装置を用いて、原稿の画像を高精
度に再現した画像データを迅速に得ることができる。
【００３２】
また、この発明にかかる画像読取装置は、原稿の読み取り指示があった場合、前記黒基
準部材に対向する位置における前記撮像素子の受光量を検出する黒基準データ検出手段と
、前記読み取り指示に応じて前記光源を点灯させ、当該光源から照射される光量に応じて
前記白基準部材に対向する位置における前記撮像素子の受光量を検出する白基準データ検
出手段と、前記読取位置における前記撮像素子の受光量に基づいて生成される画像データ
を、前記黒基準データ検出手段および前記白基準データ検出手段によって検出された受光
量に応じて補正する補正手段と、を備えることを特徴とする。
【００３３】
したがって、画像読取装置は、光源からの光量が安定するのを待機しながら、黒基準部
材に対向する位置における撮像素子の受光量を検出することができるので、光源からの光
量が安定するまでの待機時間を短くすることができる。
【００３４】
これによって、画像読取装置は、読み取り動作を開始する指示操作がなされてから、読
み取りが開始されるまでの時間を短縮することができる。また、これによって、利用者は
、原稿の画像を高精度に再現した画像データを迅速に得ることができる。
【発明を実施するための最良の形態】
【００３５】
以下に添付図面を参照して、この発明にかかる原稿フォルダおよび画像読取装置の好適
な実施の形態を詳細に説明する。この実施の形態は、この発明にかかる原稿フォルダおよ
び画像読取装置を実現するスキャナ装置への適用例を示す。
【００３６】
図１は、実施の形態にかかるスキャナ装置の外観を示す斜視図（その１）である。はじ
めに、図１を用いて、実施の形態にかかるスキャナ装置の外観について説明する。図１に
示すように、スキャナ装置１００は、本体ユニット１１０と、透過型原稿用光源ユニット
（以下、「ＴＰＵユニット」という）１２０と、を備えている。
【００３７】
ＴＰＵユニット１２０は、本体ユニット１１０に対して対向配置されており、ヒンジ部
（図３参照）を介して、本体ユニット１１０に連結されている。ＴＰＵユニット１２０は
、ヒンジ部を支点にして、図１に示す状態から本体ユニット１１０に対して離反する方向
に回動可能に連結されている。
【００３８】
図２は、実施の形態にかかるスキャナ装置１００の縦断正面図である。つぎに、図２を
用いて、実施の形態のスキャナ装置１００の概略構成について説明する。図２に示すよう
に、スキャナ装置１００は、本体ユニット１１０の外郭をなす本体ハウジング２１０と、
ＴＰＵユニット１２０の外郭をなすＴＰＵハウジング２３０と、を備えている。
【００３９】
はじめに、本体ユニット１１０の概略構成について説明する。本体ユニット１１０にお
ける本体ハウジング２１０は、ＴＰＵハウジング２３０に向かって開口する開口部２１１
を備えている。開口部２１１には、開口部２１１を閉塞するように原稿台ガラス２１２が
設けられている。
【００４０】
この実施の形態では、開口部２１１および原稿台ガラス２１２によって読取開口部が実
現され、本体ハウジング２１０における開口部２１１周辺部によって枠部材が実現されて
いる。原稿台ガラス２１２上には、読み取り対象となる原稿が載置される。
【００４１】
本体ハウジング２１０および原稿台ガラス２１２によって形成される空間２１３には、
原稿台ガラス２１２に載置された原稿の画像を光学的に読み取るための光学部材２１４が
設けられている。光学部材２１４としては、原稿台ガラス２１２に向けて光を照射する反
射用光源２１５、反射用光源２１５から照射され原稿において反射された光を所定の経路
に導く複数のミラー２１６、ミラー２１６によって導かれた光を受光する撮像素子２１７
、ミラー２１６によって導かれた光を撮像素子２１７に結像させるレンズ２１８などが挙
げられる。
【００４２】
撮像素子２１７としては、たとえば、受光面に結像された光学像を光電変換して、素子
ごとの受光量に応じた電気信号を出力するフォトダイオードを用いることが可能である。
スキャナ装置１００においては、前述のフォトダイオードが、走査回路基板２１９上にお
いて、主走査方向に沿って直線的に配列されたリニアイメージセンサが、撮像素子２１７
として用いられている。
【００４３】
また、空間２１３には、スキャナキャリッジ２２０が設けられている。スキャナキャリ
ッジ２２０は、原稿台ガラス２１２と平行であって、かつ、副走査方向に延出するキャリ
ッジガイド２２１に沿って摺動自在に設けられている。
【００４４】
スキャナキャリッジ２２０には、モータ２２２に連結された動力伝達機構２２３を介し
て、モータ２２２で発生させた駆動力が伝達される。公知の技術であるため詳細な図示お
よび説明を省略するが、動力伝達機構２２３は、たとえば、ギア列や駆動ベルトなどによ
って実現される。
【００４５】
スキャナキャリッジ２２０は、モータ２２２で発生させた駆動力が動力伝達機構２２３
を介して伝達されることによって、原稿台ガラス２１２に沿って副走査方向に移動する。
上述した光学部材２１４は、スキャナキャリッジ２２０に搭載されている。光学部材２１
４は、スキャナキャリッジ２２０の移動にともなって、原稿台ガラス２１２に沿って副走
査方向に移動する。
【００４６】
つぎに、ＴＰＵユニット１２０の概略構成について説明する。ＴＰＵユニット１２０に
おけるＴＰＵハウジング２３０には、本体ハウジング２１０に対向する側に、本体ハウジ
ング２１０に向かって開口する開口部２３１が設けられている。また、ＴＰＵハウジング
２３０は、開口部２３１を覆う位置に、保護マット２３２が設けられている。保護マット
２３２は、ＴＰＵハウジング２３０に対して着脱自在に設けられている。
【００４７】
ＴＰＵハウジング２３０には、光源としての透過用光源ユニットが設けられている。透
過用光源ユニットは、写真用フィルムなどのような光透過型の原稿の読み取り動作に際し
て使用され、原稿台ガラス２１２に向けて光を照射する。透過用光源ユニットは、原稿台
ガラス２１２に沿って副走査方向に移動可能に設けられている。
【００４８】
ＴＰＵハウジング２３０には、上述したモータ２２２の駆動力を透過用光源ユニットに
伝達する動力伝達機構が設けられている。詳細な図示および説明を省略するが、ＴＰＵユ
ニット１２０に設けられた動力伝達機構は、たとえば、ギア列や駆動ベルト２３３などに
よって実現される。
【００４９】
ＴＰＵハウジング２３０に設けられた動力伝達機構は、保護マット２３２がＴＰＵハウ
ジング２３０から取り外されている場合にモータ２２２に連結され、モータ２２２の駆動
力を透過用光源ユニットに伝達するように構成されている。ＴＰＵユニット１２０に設け
られた動力伝達機構は、モータ２２２に直接連結されていてもよいし、動力伝達機構２２
３を介してモータ２２２に連結されていてもよい。
【００５０】
これにより、透過用光源ユニットは、保護マット２３２がＴＰＵハウジング２３０から
取り外されている場合に限って、スキャナキャリッジ２２０とともに、モータ２２２の駆
動力を受けて副走査方向に沿って移動する。
【００５１】
フィルムのような光透過型の原稿（以下、「フィルム」という）の読み取り動作に際し
ては、原稿台ガラス２１２の上、すなわち、本体ユニット１１０とＴＰＵユニット１２０
の間に、原稿フォルダとしてのフィルムフォルダ２４０が設置される。詳細は後述するが
、フィルムフォルダ２４０は、フィルムフォルダ２４０の端部と本体ハウジング２１０に
おける原稿台ガラス２１２の周縁部とが、本体ユニット１１０とＴＰＵユニット１２０と
の対向方向に沿って重複するような状態で、本体ユニット１１０とＴＰＵユニット１２０
との間に設置される。
【００５２】
図３は、実施の形態にかかるスキャナ装置１００の外観を示す斜視図（その２）である
。図３は、図１あるいは図２に示した状態のＴＰＵユニット１２０が、ヒンジ部３００を
支点にして、本体ユニット１１０に対して離反する方向に回動され、原稿台ガラス２１２
上にフィルムフォルダ２４０が設置された状態を示している。フィルムの画像の読み取り
動作に際して、利用者は、フィルムフォルダ２４０を、原稿台ガラス２１２上の所定の位
置に設置する。
【００５３】
フィルムフォルダ２４０には、原稿台ガラス２１２上においてフィルムフォルダ２４０
を位置決めするためのマウント部材３０１が設けられている。マウント部材３０１は、読
み取り対象となるフィルムの形状に応じて２セット設けられている。一方は、３５ｍｍフ
ィルムを読み取り対象とする場合に利用するマウント部材３０１であり、他方は６０ｍｍ
フィルムを読み取り対象とする場合に利用するマウント部材３０１である。
【００５４】
本体ハウジング２１０には、原稿台ガラス２１２の周縁部に、マウント部材３０１を位
置決めするためのガイド部３０２が設けられている。利用者は、２セットあるマウント部
材３０１のうち、読み取り対象となるフィルムサイズに応じたマウント部材３０１を、ガ
イド部３０２にはめ込むようにして、原稿台ガラス２１２上にフィルムフォルダ２４０を
設置する。これにより、利用者は、フィルムフォルダ２４０を容易かつ確実に所定の位置
に設置することができる。
【００５５】
図３においては、上述した保護マット２３２が、ＴＰＵハウジング２３０から取り外さ
れた状態が示されている。図３において、符号３０３は、上述した透過用光源ユニットか
ら照射された光を、原稿台ガラス２１２側に導くための開口部である。透過用光源ユニッ
トは、開口部３０３の範囲をカバーするように移動可能に設けられている。
【００５６】
図４はフィルムフォルダ２４０および本体ユニット１１０を示す平面図（その１）であ
り、図５はフィルムフォルダ２４０および本体ユニット１１０を示す平面図（その２）で
ある。図４は、原稿台ガラス２１２上にフィルムフォルダ２４０が設置された状態の原稿
台ガラス２１２を、本体ユニット１１０とＴＰＵユニット１２０との対向方向に沿って、
ＴＰＵユニット１２０側から見た状態を示している。図５は、原稿台ガラス２１２上にフ
ィルムフォルダ２４０が設置された状態の原稿台ガラス２１２を、本体ユニット１１０と
ＴＰＵユニット１２０との対向方向に沿って、原稿台ガラス２１２よりも撮像素子２１７
側から見た状態を示している。
【００５７】
図４および図５に示すフィルムフォルダ２４０において、符号４０１は、フィルムフォ
ルダ２４０によって保持されたフィルムの画像を読み取るために、読取位置において開口
するフィルム読取エリアを示している。フィルム読取エリア４０１は、上述した撮像素子
２１７の撮像範囲内に設けられている。
【００５８】
フィルムフォルダ２４０は、フィルム読取エリア４０１を介して、読み取り対象となる
フィルムを保持するためのカバーフィルムフォルダ４０２を備えている。カバーフィルム
フォルダ４０２は、ヒンジ部４０３を支点として、原稿台ガラス２１２から離反する方向
に回動可能に設けられている。フィルムフォルダ２４０は、原稿台ガラス２１２とカバー
フィルムフォルダ４０２との間にフィルムを挟持させることで、読み取り対象となるフィ
ルムを保持する。
【００５９】
フィルムフォルダ２４０において、副走査方向に沿ってフィルム読取エリア４０１に隣
接する位置には、白基準読取エリアにおいて透過用光源ユニットから照射された光を撮像
素子２１７へ透過させる開口部４０４が設けられている。この実施の形態では、開口部４
０４によって白基準部材が実現されている。
【００６０】
フィルムフォルダ２４０において、副走査方向に沿って開口部４０４に隣接する位置に
は、黒基準読取エリア４０５が確保されている。黒基準読取エリア４０５は、フィルムフ
ォルダ２４０を形成する樹脂材料によって閉塞されている。ここに、黒基準読取エリア４
０５によって黒基準部が実現され、黒基準読取エリア４０５における樹脂材料によって黒
基準部材が実現されている。
【００６１】
黒基準読取エリア４０５は、フィルム読取エリア４０１よりもホームポジション側に設
けられている。ここで、ホームポジションとは、フィルムの読み取りを開始する際に、撮
像素子が位置づけられる位置であり、フィルム読み取り動作の起点となる位置である。
【００６２】
フィルムフォルダ２４０において、黒基準読取エリア４０５は、原稿台ガラス２１２に
接触するように原稿台ガラス２１２側へ突出している（図６参照）。フィルムフォルダ２
４０は、黒基準読取エリア４０５を原稿台ガラス２１２側に突出させることで、ＴＰＵユ
ニット１２０側となる面においてＴＰＵユニット１２０から離反する方向へ凹んでいる。
【００６３】
これにより、フィルムフォルダ２４０の板厚を、フィルムフォルダ２４０の全体に亘っ
て均一にすることができるため、黒基準読取エリア４０５を原稿台ガラス２１２側に突出
させる形状とした場合にも、フィルムフォルダ２４０の成型に際してヒケなどの発生を抑
制することができる。フィルムフォルダ２４０を形成する樹脂材料は、黒色など光を吸収
する色であることが好ましい。
【００６４】
なお、図示を省略するが、フィルムフォルダ２４０は、黒基準読取エリア４０５を囲む
ように、黒基準読取エリア４０５の周縁部を原稿台ガラス２１２側に突出させるような形
状としてもよい。この場合、黒基準読取エリア４０５の内側は、突出させた部分によって
袋状に囲まれることとなる。
【００６５】
また、フィルムフォルダ２４０における開口部４０４および黒基準読取エリア４０５の
位置は、上述した位置に限るものではない。この実施の形態では、フィルムの画像の読み
取りに際して撮像素子が移動する方向（以下、「読取方向」という）に沿って、「黒基準
読取エリア４０５、開口部４０４、フィルム読取エリア４０１」の順に隣接するように設
けられた一例を示したが、たとえば、読取方向に沿って、「フィルム読取エリア４０１、
開口部４０４、黒基準読取エリア４０５」の順に隣接するように設けられていてもよい。
【００６６】
また、たとえば、「開口部４０４、フィルム読取エリア４０１、黒基準読取エリア４０
５」、「黒基準読取エリア４０５、フィルム読取エリア４０１、開口部４０４」、「開口
部４０４、黒基準読取エリア４０５、フィルム読取エリア４０１」、「フィルム読取エリ
ア４０１、黒基準読取エリア４０５、開口部４０４」の順に隣接するように設けられてい
てもよい。
【００６７】
図４および図５から分かるように、フィルムフォルダ２４０は、フィルムフォルダ２４
０における黒基準読取エリア４０５側の端部と本体ハウジング２１０における原稿台ガラ
ス２１２の周縁部とが、本体ユニット１１０とＴＰＵユニット１２０との対向方向に沿っ
て重複するような状態で、原稿台ガラス２１２上に設置される。
【００６８】
図６は、フィルムフォルダ２４０および本体ユニット１１０の一部を示す縦断正面図で
ある。図６は、原稿台ガラス２１２上に設置されたフィルムフォルダ２４０の、黒基準読
取エリア４０５周辺を示している。図６から分かるように、フィルムフォルダ２４０にお
いて、副走査方向に沿って黒基準読取エリア４０５よりも周縁部側には、フィルムフォル
ダ２４０の外方に向かって突出する突起部材としての突起部６０１が設けられている。
【００６９】
本体ハウジング１１０において、黒基準読取エリア４０５近傍に位置する周縁部には、
突起部６０１を回避するように傾斜する傾斜部６０２が設けられている。これにより、本
体ユニット１１０とＴＰＵユニット１２０との対向方向における寸法（スキャナ装置１０
０の厚さ）を大幅に増加させることなく、本体ユニット１１０とＴＰＵユニット１２０と
の対向方向に沿って、フィルムフォルダ２４０における黒基準読取エリア４０５側の端部
と、本体ハウジング２１０における原稿台ガラス２１２の周縁部と、を重複させることが
できる。
【００７０】
なお、突起部６０１の形状は、図６に示した形状に限るものではない。突起部６０１の
形状は、たとえば、傾斜部６０２を完全に覆うように突出させた形状としてもよい。また
、突起部６０１の形状は、たとえば、傾斜部６０２側の面を、傾斜部６０２と同じ角度で
傾斜させた形状としてもよい。これによって、フィルムフォルダ２４０における黒基準読
取エリア４０５側の端部と本体ハウジング２１０における原稿台ガラス２１２の周縁部と
を密着させることが可能になる。
【００７１】
また、図６から分かるように、フィルムフォルダ２４０における黒基準読取エリア４０
５は、フィルムフォルダ２４０が原稿台ガラス２１２上に設置された状態において、原稿
台ガラス２１２に密着される。
【００７２】
図示を省略するが、スキャナ装置１００は、上述した構成に加えて、利用者による各種
指示操作を受け付ける操作パネルや、スキャナ装置１００における各部を駆動制御する各
種制御回路や、操作パネルによって受け付けた指示操作に応じて各種制御回路を制御する
制御系などを備えている。操作パネルでは、紙などの光を透過しない原稿（反射型の原稿
）の画像を読み取る指示操作や、フィルムの画像を読み取る指示操作などを受け付ける。
【００７３】
加えて、図示を省略するが、スキャナ装置１００は、パーソナルコンピュータなどの外
部装置との間で通信をおこなう通信Ｉ／Ｆを備えていてもよい。この場合、スキャナ装置
１００は、パーソナルコンピュータにおいて受け付けた指示操作に応じたコマンドを、通
信Ｉ／Ｆを介して受信する。
【００７４】
スキャナ装置１００は、操作パネルを介して受け付けた指示操作や、通信Ｉ／Ｆを介し
て受信したコマンドに応じて、スキャナキャリッジ２２０を移動させたり、反射用光源２
１５や透過用光源ユニットを点灯／消灯させたり、撮像素子２１７に結像された光を光電
変換することによって画像データを生成したりする。
【００７５】
スキャナ装置１００は、生成された画像データを、任意の記憶媒体に記憶するようにし
てもよいし、通信Ｉ／Ｆを介してパーソナルコンピュータなどの外部装置に送信するよう
にしてもよい。
【００７６】
このような構成を備えたスキャナ装置１００によってフィルムの画像を読み取る場合、
利用者は、図３に示したように、ＴＰＵユニット１２０を本体ユニット１１０から離反さ
せた状態で、原稿台ガラス２１２上にフィルムフォルダ２４０を設置する。上述したよう
に、フィルムフォルダ２４０の設置に際しては、マウント部材３０１とガイド部３０２と
を利用することで、原稿台ガラス２１２上におけるフィルムフォルダ２４０の位置決めを
、容易かつ正確におこなうことができる。
【００７７】
つづいて、ヒンジ部４０３を支点として、カバーフィルムフォルダ４０２を原稿台ガラ
ス２１２から離反する位置に回動させた状態で、読み取り対象とするフィルムを原稿台ガ
ラス２１２上にセットし、カバーフィルムフォルダ４０２を元の位置に戻す。この実施の
形態では、原稿台ガラス２１２、カバーフィルムフォルダ４０２によって、位置決め部お
よび位置決め部材が実現されている。これによって、フィルムを容易かつ正確に読取位置
にセットすることができる。
【００７８】
そして、ＴＰＵユニット１２０を、図１に示したように本体ユニット１１０に対向させ
てから、フィルムの画像を読み取る指示操作をおこなう。指示操作は、スキャナ装置１０
０が備える操作パネルを介しておこなってもよいし、パーソナルコンピュータなどの外部
装置においておこなってもよい。
【００７９】
フィルムの画像を読み取る指示操作があった場合、スキャナ装置１００は、フィルムの
画像の読み取り動作に先立って、シェーディング補正処理をおこなう。シェーディング補
正処理に際しては、はじめに、透過用光源ユニットを点灯させるとともに、透過用光源ユ
ニットの点灯と並行してモータ２２２を駆動させ、スキャナキャリッジ２２０を黒基準読
取エリア４０５に対向する位置に移動させる。
【００８０】
そして、撮像素子２１７が黒基準読取エリア４０５に対向する位置まで移動したタイミ
ングで、撮像素子２１７の受光量を検出し、検出された受光量に基づいて黒基準データを
生成する。黒基準データは、撮像素子２１７に結像された光を光電変換することによって
得られるアナログデータを、デジタルデータに変換することによって生成される。この実
施の形態では、黒基準データの生成に関わる各部および当該各部を用いておこなわれる処
理によって黒基準データ検出手段が実現される。
【００８１】
つぎに、スキャナキャリッジ２２０を開口部４０４に対向する位置まで移動させ、撮像
素子２１７が開口部４０４に対向する位置まで移動したタイミングで、撮像素子２１７の
受光量を検出し、検出された受光量に基づいて白基準データを生成する。白基準データは
、上述した黒基準データと同様にして生成される。この実施の形態では、白基準データの
生成に関わる各部および当該各部を用いておこなわれる処理によって白基準データ検出手
段が実現される。
【００８２】
つづいて、黒基準データおよび白基準データを用いて、照射位置による照射光量のムラ
に起因する画像データの明暗のムラを補正する補正用データを生成する。以上の処理によ
り、シェーディング補正が実現される。
【００８３】
その後、モータ２２２を駆動して、スキャナキャリッジ２２０および透過用光源ユニッ
トを副走査方向に沿って移動させながら、撮像素子２１７の受光量を検出し、検出された
受光量および上述した補正用データに基づいて画像データを生成する。この実施の形態で
は、補正用データの生成および画像データの生成に関わる各部および当該各部を用いてお
こなわれる処理によって補正手段が実現される。
【００８４】
上述したように、実施の形態のスキャナ装置１００によれば、フィルムフォルダ２４０
に設けられた黒基準読取エリア４０５に対向する位置における撮像素子２１７の受光量を
検出することで、黒基準読取エリア４０５に対向する位置における撮像素子２１７の受光
量の検出を、フィルム読取エリア４０１に近い位置でおこなうことができる。
【００８５】
これによって、スキャナ装置１００は、フィルムの画像を読み取る指示操作がなされて
から、読み取りが開始されるまでの時間を短縮することができる。また、これによって、
利用者は、フィルムの画像を高精度に再現した画像データを迅速に得ることができる。
【００８６】
また、実施の形態におけるスキャナ装置１００によれば、原稿台ガラス２１２に沿って
移動可能とされた撮像素子２１７の移動方向に沿って、フィルム読取エリア４０１の近傍
となる位置に黒基準読取エリア４０５が設けられているため、黒基準読取エリア４０５に
対向する位置における撮像素子２１７の受光量の検出を、フィルム読取エリア４０１に一
層近い位置でおこなうことができる。
【００８７】
これによって、スキャナ装置１００は、フィルムの画像を読み取る指示操作がなされて
から、読み取りが開始されるまでの時間を一層短縮することができる。また、これによっ
て、利用者は、フィルムの画像を高精度に再現した画像データを一層迅速に得ることがで
きる。
【００８８】
また、実施の形態におけるスキャナ装置１００によれば、黒基準読取エリア４０５がフ
ィルム読取エリア４０１よりもホームポジション側に設けられているため、黒基準読取エ
リア４０５に対向する位置における撮像素子２１７の受光量を検出してから、すぐにフィ
ルムの読み取りを開始することができる。
【００８９】
これによって、スキャナ装置１００は、撮像素子２１７の移動量を最小限に抑えること
で、フィルムの画像を読み取る指示操作がなされてから、読み取りが開始されるまでの時
間を一層短縮することができる。また、これによって、利用者は、フィルムの画像を高精
度に再現した画像データを一層迅速に得ることができる。
【００９０】
また、実施の形態におけるスキャナ装置１００によれば、本体ハウジング２１０におけ
る開口部２１１の周縁部とフィルムフォルダ２４０との間の隙間を突起部６０１によって
遮光することで、開口部２１１における本体ハウジング２１０とフィルムフォルダ２４０
との隙間を透過した光を撮像素子２１７に入り込ませることなく、開口部２１１の周縁部
に近い位置で、黒基準読取エリア４０５に対向する位置における撮像素子２１７の受光量
を検出することができる。
【００９１】
これによって、スキャナ装置１００は、撮像素子２１７の移動方向における寸法を小さ
くするとともに、撮像素子２１７の移動量を最小限に抑えることで、読み取り動作を開始
する指示操作がなされてから、読み取りが開始されるまでの時間を短縮することができる
。また、これによって、利用者は、小型化されたスキャナ装置１００を用いて、フィルム
の画像を高精度に再現した画像データを迅速に得ることができる。
【００９２】
また、実施の形態におけるスキャナ装置１００によれば、開口部４０４が、黒基準読取
エリア４０５とフィルム読取エリア４０１との間に設けられているため、撮像素子２１７
の移動方向に沿って、黒基準読取エリア４０５、開口部４０４、フィルム読取エリア４０
１に対向する位置における撮像素子の受光量を順次検出することができる。
【００９３】
これによって、スキャナ装置１００は、撮像素子２１７の移動量を最小限に抑えること
で、読み取り動作を開始する指示操作がなされてから、読み取りが開始されるまでの時間
を短縮することができる。また、これによって、利用者は、フィルムの画像を高精度に再
現した画像データを迅速に得ることができる。
【００９４】
また、実施の形態のスキャナ装置１００においては、開口部４０４を介して白基準デー
タを取得することにより、透過用光源ユニットから撮像素子２１７への光路上に白基準部
材を別途設けることなく、透過用光源ユニットからの光を撮像素子２１７によって直接受
光した受光量に応じて、白基準値を補正することができる。
【００９５】
これによって、スキャナ装置１００は、スキャナ装置１００の小型化を図るとともに、
フィルムの画像を読み取る指示操作がなされてから、読み取りが開始されるまでの時間を
短縮することができる。また、これによって、利用者は、小型化されたスキャナ装置１０
０を用いて、フィルムの画像を高精度に再現した画像データを迅速に得ることができる。
【００９６】
また、実施の形態のスキャナ装置１００によれば、フィルムの画像を読み取る指示操作
があった時点で透過用光源ユニットを点灯させ、透過用光源ユニットからの光量が安定す
るのを待機しながら、黒基準読取エリア４０５に対向する位置における撮像素子２１７の
受光量を検出することができる。
【００９７】
したがって、スキャナ装置１００は、白基準データを取得するまでの時間を短縮するこ
とで、フィルムの画像を読み取る指示操作がなされてから、読み取りが開始されるまでの
時間を短縮することができる。これによって、利用者は、フィルムの画像を高精度に再現
した画像データを迅速に得ることができる。
【図面の簡単な説明】
【００９８】
【図１】実施の形態にかかるスキャナ装置の外観を示す斜視図（その１）。
【図２】実施の形態にかかるスキャナ装置の縦断正面図。
【図３】実施の形態にかかるスキャナ装置の外観を示す斜視図（その２）。
【図４】フィルムフォルダおよび本体ユニットを示す平面図（その１）。
【図５】フィルムフォルダおよび本体ユニットを示す平面図（その２）。
【図６】フィルムフォルダおよび本体ユニットの一部を示す縦断正面図。
【符号の説明】
【００９９】
１００  スキャナ装置、２１１  開口部、２１２  原稿台ガラス、２１７  撮像素子、
２４０  フィルムフォルダ、４０２  カバーフィルムフォルダ、４０４  開口部、４０５
黒基準読取エリア
【図１】
2008172661.tif 000003
【図２】
2008172661.tif 000004
【図３】
2008172661.tif 000005
【図４】
2008172661.tif 000006
【図５】
2008172661.tif 000007
【図６】
2008172661.tif 000008